(57)【要約】 【課題】簡単に作製できるとともに、不使用時にはスペースをとらない形状へ容易に変形させることができるようにした植木鉢を提供する。【解決手段】外周縁１２、内周縁１３および側辺１４、１５で画される筒部領域１１と、内周縁１３を６辺に分割した分割辺１９のそれぞれに連なって延びる底壁片２５とを有するカットシート１０を耐水性合成シートから切り出し、側辺１４、１５を接合して筒部領域１１が筒部を形成する。底壁片２５をそれぞれ分割辺１９にそって折り曲げて筒部内へ折り返し、互いに係止した底壁片２５が底壁部を形成して、肉厚が薄く、軽量な植木鉢が得られる。底壁片２５の折り曲げを解放すれば、平坦に折り畳める。底壁部の中央が上げ底形状になるとともに、各底壁片２５間の隙間から確実に水はけされるので、根腐れを招かない。【選択図】図４
0003159013.tif 000002
【実用新案登録請求の範囲】
【請求項１】
筒部と底壁部を備える植木鉢であって、
筒部を形成する筒部領域と、底壁部を形成する底壁片とが連続した耐水性合成シートのカットシートからなり、
前記筒部領域の長手方向両端を接合して筒部を形成し、
前記底壁片は、前記筒部領域における前記筒部の下端部に対応する部位に３以上の複数片として筒部の周方向に隣接して並び、
前記底壁片をそれぞれ筒部内へ折り返して、互いに係止した底壁片が底壁部を形成することを特徴とする植木鉢。
【請求項２】
前記筒部領域が、筒部の開口縁に対応する上辺、筒部の下端縁に対応する下辺および２つの側辺で画され、
前記底壁片が、前記下辺を３以上の複数に分割した分割辺のそれぞれに連なって延びて、
前記２つの側辺を接合して筒部領域が筒部を形成し、
前記底壁片をそれぞれ前記分割辺で折り返して前記底壁部を形成することを特徴とする請求項１に記載の植木鉢。
【請求項３】
前記筒部領域の上辺が前記下辺に対応して複数に分割され、上辺および下辺の対応する分割点を結ぶ線をそれぞれ折り曲げ線として、筒部が多角形をなすことを特徴とする請求項２に記載の植木鉢。
【請求項４】
前記底壁片の側辺と前記筒部領域の下辺との交差部にはアール部が形成されていることを特徴とする請求項２または３に記載の植木鉢。
【請求項５】
前記筒部領域が、筒部の開口縁に対応する上辺、筒部の下端縁に対応する下辺および２つの側辺で画される外側筒部領域と、前記上辺を３以上の複数に分割した分割辺のそれぞれに連なって延びる内側筒部領域とからなり、
前記底壁片が、前記内側筒部領域の頂辺のそれぞれに連なって延びて、
前記外側筒部領域の２つの側辺を接合して筒部を形成するとともに、前記内側筒部領域を前記筒部内に折り返し、
前記底壁片をそれぞれ前記頂辺で折り返して前記底壁部を形成することを特徴とする請求項１に記載の植木鉢。
【請求項６】
前記外側筒部領域の分割辺から前記内側筒部領域の頂辺までの高さが外側筒部領域の下辺から前記分割辺までの高さよりも小さく、
前記底壁部の全面が前記筒部の下端縁よりも高いことを特徴とする請求項５に記載の植木鉢。
【請求項７】
前記筒部領域の下辺が前記上辺に対応して複数に分割され、上辺および下辺の対応する分割点を結ぶ線をそれぞれ折り曲げ線として、筒部が多角形をなすことを特徴とする請求項５または６に記載の植木鉢。
【請求項８】
前記内側筒部領域の側辺と前記外側筒部領域の上辺との交差部にはアール部が形成されていることを特徴とする請求項５から７のいずれか１に記載の植木鉢。
【請求項９】
前記筒部を形成する筒部領域は、前記折り曲げおよび折り返しのすべてを開放した状態から、前記上辺および下辺の対応する分割点を結ぶ折り曲げ線の所定の２本で折り曲げたとき当該折り曲げ線間が互いに平坦に重なることを特徴とする請求項３、４、７、８のいずれか１に記載の植木鉢。
【請求項１０】
前記底壁片は、その折り返し辺を底辺とする２等辺三角形であり、頂点までの高さは前記底辺から筒部の下端部に形成される多角形の中心を越えて延びるように設定されていることを特徴とする請求項１から９のいずれか１に記載の植木鉢。
【請求項１１】
耐水性合成シートに、請求項１から１０のいずれか１に記載の筒部を形成する筒部領域と底壁部を形成する底壁片とが連続したカットシートを、抜き出し可能に切込みを入れてあることを特徴とする植木鉢製作シート。
【考案の詳細な説明】
【技術分野】
【０００１】
本考案は、シート材から形成した植木鉢に関する。
【背景技術】
【０００２】
植物を栽培あるいは展示するための植木鉢は、従来、陶器や磁器、あるいは金属製や木製、ガラス製のものが見られ、現代では特開２００９−９５３２７公報等に記載されているように、合成樹脂による成形品も普及してきている。
これらの植木鉢はいずれも植物のサイズ等に対応した大きさの固定形状を有している。
【先行技術文献】
【特許文献】
【０００３】
【特許文献１】特開２００９−９５３２７公報
【考案の概要】
【考案が解決しようとする課題】
【０００４】
上述のとおり、従来の植木鉢はいずれも固定形状の立体物であり、たとえ室内での観賞用でもそれなりに嵩張っており、使用しないときにはその収納に相当のスペースを確保しなければならないという問題がある。
したがって、本考案はこの問題点に鑑み、不使用時にはスペースをとらない形状へ容易に変形させることができるようにした植木鉢を提供することを目的とする。
【課題を解決するための手段】
【０００５】
このため本考案は、筒部と底壁部を備える植木鉢であって、筒部を形成する筒部領域と、底壁部を形成する底壁片とが連続した耐水性合成シートのカットシートからなり、筒部領域の長手方向両端を接合して筒部を形成し、底壁片は、筒部領域における筒部の下端部に対応する部位に３以上の複数片として筒部の周方向に隣接して並び、底壁片をそれぞれ筒部内へ折り返して、互いに係止した底壁片が底壁部を形成するものとした。
【考案の効果】
【０００６】
カットシートから糊付けなどにより側辺を接合し、その後底壁片を折り返すだけで組み上げられ、逆に底壁片の折り返しを開放すれば平坦になって収納にスペースをとらない。
シート材からなるので肉厚が薄く、軽量な植木鉢が得られるとともに、底壁部が複数の底壁片を折り返して形成されるので、その隙間から確実に水はけされる。
組み上げが簡単で、材料も含めて低コストで作製できる。
【図面の簡単な説明】
【０００７】
【図１】本考案の第１の実施例を示す外観斜視図である。
【図２】第１の実施例の断面図である。
【図３】カットシートの取得要領を示す説明図である。
【図４】カットシートの詳細を示す平面図である。
【図５】図４におけるＡ−Ａ部断面図である。
【図６】植木鉢の作製手順を示す図である。
【図７】筒部を畳んだ状態を示す斜視図である。
【図８】第２の実施例におけるカットシートの詳細を示す平面図である。
【図９】植木鉢の作製手順を示す図である。
【考案を実施するための形態】
【０００８】
以下、本考案の実施の形態を実施例により説明する。
【実施例１】
【０００９】
図１は第１の実施例を示す外観斜視図、図２は断面図である。各図中、Ｓは土、ＦＬは植物としての草花である。
植木鉢１は横断面が多角形（図示では六角形）の筒部２と、筒部２の下端に連なる底壁部３とからなり、筒部２の上端開口は下端よりも拡径している。
とくに図２に示すように、底壁部３は筒部２の下端から上方（開口方向）へ延び、上げ底形状となっている。
【００１０】
植木鉢１は、図３に示すように、紙葉状の耐水性合成シートＷから、筒部２と底壁部３を形成する後述の筒部領域１１と底壁片２５を一体に切り出した所定形状のカットシート１０を素材として、これを接着および折り曲げで整形して使用時形態としている。
耐水性合成シートは樹脂素材で、例えば、ポリプロピレン樹脂、無機充填材および添加材を原料とした合成紙「ユポ」（ユポ・コーポレーション社の商標）その他を用いることができる。
【００１１】
つぎに、植木鉢１の作製過程を説明する。
図４は、耐水性合成シートＷから切り出したカットシート１０を示す。カットシート１０の切り出しはプレスカッティングで行うことができる。
筒部領域１１は、扇面状に湾曲しており、仮想中心Ｇに関して周方向６区画１７ａ〜１７ｆに等分割され、外周縁１２および内周縁１３がそれぞれ多角形の部分形状をなしている。
筒部領域１１の長手方向両端の側辺１４、１５は仮想中心Ｇに向かう直線で、側辺１５にそって糊代片１６が延びている。
【００１２】
筒部領域１１における各区画１７ａ〜１７ｆ間の周方向境界および糊代片１６との境界は、折り曲げ線２０（２０ａ〜２０ｆ）となっている。
折り曲げ線２０と外周縁１２の交点Ｐｏが外周縁１２の分割点となり、折り曲げ線２０と内周縁１３の交点Ｐｉが内周縁１３の分割点となる。外周縁１２の隣接する分割点Ｐｏ間を結ぶ分割辺１８（１８ａ〜１８ｆ）、および内周縁１３の隣接する分割点Ｐｉ間を結ぶ分割辺１９（１９ａ〜１９ｆ）はそれぞれ直線としてある。
【００１３】
筒部領域１１の区画１７ａ〜１７ｆから、すなわち内周縁１３の各分割辺１９からは仮想中心Ｇに向かって、底壁部３を形成するための底壁片２５（２５ａ〜２５ｆ）が延びている。
底壁片２５は分割辺１９を底辺とする２等辺三角形で、２等辺三角形の底辺から頂点Ｑまでの高さは正三角形を形成する高さよりも大きい。換言すれば、両側辺は底辺よりも長い。これにより底壁片２５は筒内方向に折り曲げたとき筒部２の下端における六角形の中心を越えて延びるものとなる。好ましくは底辺（分割辺１９）から頂点Ｑまでの高さを底辺の長さの３／２倍とする。
【００１４】
各分割点Ｐｉには、円形カット２８が施され、円形カット２８の直径は１〜５ｍｍが好ましい。これにより、分割点Ｐｉで交わる隣接する底壁片２５の側辺２６間にエッジが生じないようにしてある。
【００１５】
筒部領域１１における折り曲げ線２０には、図５に示すように、プレスにより谷折側に折り曲げ溝３０が形成されている。また、筒部領域の各区画１７と底壁片２５の境界である分割辺１９も折り曲げ線として、プレスにより谷折側に折り曲げ溝３０が形成されている。すべての折り曲げ線は同じ面側を谷としている。
樹脂素材の耐水性合成シートから切り出したカットシート１０は、折り曲げ溝３０が形成されても、自由状態では筒部領域１１および底壁片２５が全体として平面を保持する方向に戻る特性を有し、復元性が大きい。
【００１６】
次に作製手順について説明する。
まず図６の（ａ）に示すように、筒部領域１１の３区画ずつが対向するように任意の折り曲げ線２０で折り曲げたうえ、糊代片１６と筒部領域１１における周方向反対側の糊代領域２１とを接着剤により接着する。図７はこの状態を示す拡大斜視図である。
接着剤としては、例えば溶剤形の「ボンドＧＰクリヤー」（コニシ株式会社製）やその他耐水性合成シートの表面材料に応じて選択すればよい。
接着が固定したあと、つぎに、筒部領域１１のまだ折り曲げていない折り曲げ線も折り曲げることによって、大径の開口側から見たとき図６の（ｂ）に示すように、筒部２を均等な六角筒に整形する。
図６の（ｃ）はこのときの状態を示す側面図である。
【００１７】
続いて、底壁片２５を折り曲げ線（分割辺１９）にそって折り曲げ、筒部２の内方へ押し込むと、図６の（ｄ）に示すように、内周縁１３を筒部２の下端とし、外周縁１２を上端とする植木鉢１となる。上端が下端よりも大径となっている。
底壁片２５の底辺から頂点Ｑまでの長さ（高さ）は正三角形を形成する高さよりも大きく、筒部２の下端における中心までの距離よりも大きいので、各底壁片２５は頂点Ｑ側が競り上がった状態で互いに側辺２６（図３参照）で係止し合い、全体として中央部が高い底壁部３を形成して上げ底構造となる。
【００１８】
耐水性合成シートが樹脂素材であるため、各底壁片２５は接続している筒部領域１１と面一な平面に復元しようとして撓み、底壁片２５同士が多数箇所で係止する結果、植木鉢１は六角筒にした筒部２の形態を維持する。
図６の（ｅ）はこのように形成された植木鉢１に任意の高さまで土Ｓを入れた状態を示す断面図である。
【００１９】
なお、耐水性合成シートＷは一般に素材メーカから矩形シートとして提供されるので、先の図３に示すように、カットシート１０とともに余剰スペースからタグ３０も切り出すことができる。
タグ３０は細幅の脚部３１の頭部に所定面積のプレート部３２を備えるとともに、脚部３１の先端を尖った形状にして、植木鉢１に入れた土Ｓに突き刺し可能とする。これにより、プレート部３２に草花の名称を付したりすることができる。
脚部３１は細幅であるから、耐水性合成シートＷから切り離す際に裂けたりしないように、脚部３１とプレート部３２の接続部も滑らかなアールＲとするのが好ましい。
【００２０】
本実施例では、筒部領域１１の外周縁１２が考案における筒部領域の上辺に該当し、内周縁１３が下辺に該当する。
円形カット２８がアール部を構成する。
【００２１】
第１の実施例は以上のように構成され、筒部２の開口縁に対応する外周縁１２（上辺）、筒部２の下端縁に対応する内周縁１３（下辺）および２つの側辺１４、１５で画される筒部領域１１と、内周縁１３を６辺に分割した分割辺１９のそれぞれに連なって延びる底壁片２５とを有する耐水性合成シートのカットシートからなり、２つの側辺１４、１５を接合して筒部領域１１が筒部２を形成し、底壁片２５をそれぞれ分割辺１９にそって折り曲げ、筒部２内へ折り返して、互いに係止した底壁片２５が底壁部３を形成するものとしたので、肉厚が薄く、軽量な植木鉢１が得られる。
そして、底壁部３は複数の底壁片２５を折り返して形成されているので、各底壁片２５間の隙間から確実に水はけされる。
また、底壁部３の中央が上げ底形状になるので、土に草花などを植えた状態で植木鉢１を水を張った受け皿に載せた場合にも、底壁部３の一部しか水中に没することはないので、根腐れを招くことがない。
【００２２】
１枚のカットシート１０から糊付けなどにより側辺１４、１５を接合し、その後底壁片２５を折り返すだけであるから、組み上げ工程がきわめて簡単で、材料も含めて低コストで作製できる。
また、素材が耐水性合成シートであるから、任意にカレンダーや絵柄、あるいは写真、宣伝表示等を筒部の外面や内面にプリントして、室内装飾としたり、宣伝配布用のノベルティにも好適である。
【００２３】
さらに、底壁片２５の折り返しを開放すれば筒部２を畳むことができるので、陶器製など従来の植木鉢に比較して不使用時の保管にスペースを要しないという特段の利点を有する。
すなわち、本実施例の植木鉢１は、使用時と不使用時とで形状を変化させることができることから、販売や配布を行うときには図７に示すように、底壁片２５は折り曲げず筒部２を畳んだ形態で提供することができ、配送や展示に便宜である。
【００２４】
底壁片２５は、分割辺１９を底辺とする２等辺三角形とし、分割辺１９から頂点Ｑまでの高さが筒部２の下端に形成される六角形の中心までよりも長くしてあるので、競り合って上げ底形状に先端部が高くなった状態において、互いの係止部位がほぼ均等に分布して、六角形の筒部２の下端部形状をとくに安定的に維持することができる。
【００２５】
また、筒部領域１１の外周縁１２も内周縁１３に対応して６辺に分割され、外周縁１２および内周縁１３の対応する分割点Ｐｏ、Ｐｉを結ぶ線をそれぞれ折り曲げ線２０としているので、筒部２が全高にわたって六角形をなし、簡潔な外観を呈している。
【００２６】
とくに筒部２の横断面が正六角形をなすように折り曲げ線２０が設定してあり、筒部２を形成する筒部領域１１は、底壁片２５の折り返しを開放した状態から、例えば折り曲げ線２０ｃ、２０ｆの２本で折り曲げたとき当該折り曲げ線間が互いに平坦に重なるようになっている。
すなわち、植木鉢１の不使用時には、糊代片１６部分を除いて実質耐水性合成シートＷの２枚分の厚さに折り畳まれるので、保管時の格納スペースがとくに小さくなる。
【００２７】
さらに、底壁片２５の側辺２６と筒部領域の内周縁との交差部には円形カット２８が施されているので、分割点、すなわち隣接する底壁片２５の側辺２６と側辺２６が交差する部位に、エッジが生じて当該分割点でカットシート１０が裂けてしまうという問題が発生しない。
【００２８】
なお、本実施例では、筒部領域１１の内周縁１３を６辺に分割して筒部２の下端形状を六角形とした例を示したが、３分割以上であれば任意の複数に分割することができる。
また、内周縁１３に対応して筒部領域１１の外周縁１２も分割して、対応する分割点を結ぶ線をそれぞれ折り曲げ線２０として筒部２が全高にわたって多角形（六角形）断面を有するものとしたが、これに限らず、筒部下端を多角形とする一方、上端は円形として、筒部の高さ方向にそって徐々に断面形状が変化するようにしてもよい。
【実施例２】
【００２９】
次に第２の実施例について説明する。前実施例では底壁の中央部が上げ底になるものとしたが、第２の実施例の植木鉢１Ａは底壁の全面を上げ底にしたものである。
図８は第２の実施例におけるカットシート１０Ａを示す。
筒部２Ａを形成する筒部領域が外側筒部領域２１と内側筒部領域２２とからなる。
外側筒部領域２１は前実施例における筒部領域１１に対応して、扇面状に湾曲しており、仮想中心Ｇ（図４参照）に関して周方向６区画１７ａ〜１７ｆに等分割され、外周縁１２および内周縁１３がそれぞれ多角形の部分形状をなしている。
外側筒部領域２１の長手方向両端の側辺１４、１５は仮想中心Ｇに向かう直線で、側辺１５にそって糊代片１６が延びている。
【００３０】
外側筒部領域２１における各区画１７ａ〜１７ｆ間の周方向境界および糊代片１６との境界は、折り曲げ線２０（２０ａ〜２０ｆ）となっている。
折り曲げ線２０と外周縁１２の交点Ｐｏが外周縁１２の分割点となり、折り曲げ線２０と内周縁１３の交点Ｐｉが内周縁１３の分割点となる。外周縁１２の隣接する分割点Ｐｏ間を結ぶ分割辺１８（１８ａ〜１８ｆ）、および内周縁１３の隣接する分割点Ｐｉ間を結ぶ分割辺１９（１９ａ〜１９ｆ）はそれぞれ直線としてある。
【００３１】
外側筒部領域２１の区画１７ａ〜１７ｆの外周縁１２の各分割辺１８からは仮想中心Ｇからの放射方向に、内側筒部領域２２（２２ａ〜２２ｆ）が延びている。内側筒部領域２２は分割辺１８を底辺とし頂辺が底辺よりも小さい台形であり、分割辺１８で折り返したときその側辺２３が  外側筒部領域２１における折り曲げ線２０に重なるように設定されている。そして、内側筒部領域２２の頂辺２４（２４ａ〜２４ｆ）の底辺（分割辺１８ａ〜１８ｆ）からの高さは、外側筒部領域２１における各区画１７の分割辺１９から分割辺１８までの高さよりも所定寸法だけ小さく設定されている。
【００３２】
各分割点Ｐｏには、円形カット２８が施され、円形カット２８の直径は１〜５ｍｍが好ましい。これにより、分割点Ｐｏで交わる隣接する内側筒部領域２２の側辺２３間にエッジが生じないようにしてある。
【００３３】
内側筒部領域２２の頂辺２４からはさらに底壁部３Ａを形成するための底壁片２５（２５ａ〜２５ｆ）が延びている。
底壁片２５の形状は前実施例と同じであり、頂辺２４を底辺とする２等辺三角形で、２等辺三角形の底辺から頂点Ｑまでの高さは正三角形を形成する高さよりも大きい。すなわち、両側辺は底辺よりも長く、これにより底壁片２５は筒内方向に折り曲げたとき上記底辺位置における六角形の中心を越えて延びるものとなる。好ましくは底辺（分割辺１９）から頂点Ｑまでの高さを底辺の長さの３／２倍とする。
【００３４】
とくに図示しないが、外側筒部領域２１における折り曲げ線２０には前実施例と同様に折り曲げ溝３０が形成されている。外側筒部領域２１、２２間の分割辺１８、および内側筒部領域２２と底壁片２５の境界である頂辺２４も折り曲げ線として、折り曲げ溝３０が形成されている。
ここでは、折り曲げ線２０および分割辺１８と、頂辺２４とは折り曲げ方向が逆で、折り曲げ溝３０の形成が反対の面となる。
【００３５】
次に作製手順について説明する。
まず図９の（ａ）に示すように、外側筒部領域２１の３区画ずつが対向するように任意の折り曲げ線２０で折り曲げたうえ、糊代片１６と外側筒部領域２１における周方向反対側の糊代領域２１とを接着剤により接着する。
接着が固定したあと、つぎに、外側筒部領域２１のまだ折り曲げていない折り曲げ線も折り曲げることによって、底壁片２５側から外側筒部領域２１方向に見たとき図９の（ｂ）に示すように、筒部２Ａを均等な六角筒に整形する。
【００３６】
続いて、内側筒部領域２２を折り曲げ線（分割辺１８）にそって内方へ折り曲げて  図９の（ｃ）の断面図に示すように、筒部２Ａ内に押し込む。これにより、分割辺１８を上としたとき、底壁片２５の先端部分が外側筒部領域２１の下端（内周縁１３）から外部へ突出した状態となる。
それから、底壁片２５を折り曲げ線（分割辺１９）にそって折り曲げ、さらに筒部２Ａの内方へ押し込むと、図９の（ｄ）に示すように、外観が内周縁１３を筒部２Ａの下端とし、外周縁１２（分割辺１８）を上端とする植木鉢１Ａとなる。上端が下端よりも大径となっている。
【００３７】
植木鉢１Ａの内側では、内側筒部領域２２の頂辺２４が下端となり、底壁片２５の底辺から頂点Ｑまでの長さ（高さ）は正三角形を形成する高さよりも大きく、内側筒部領域２２の頂辺２４の位置における中心までの距離よりも大きいので、各底壁片２５は頂点Ｑ側が競り上がった状態で互いに側辺２６（図８参照）で係止し合い、全体として中央部が高い底壁部３Ａを形成して上げ底構造となる。
【００３８】
耐水性合成シートが樹脂素材であるため、各底壁片２５は接続している内側筒部領域２２と面一な平面に復元しようとして撓み、底壁片２５同士が多数箇所で係止する結果、植木鉢１Ａは六角筒にした筒部２Ａの形態を維持する。
図９の（ｅ）はこのように形成された植木鉢１Ａに任意の高さまで土Ｓを入れた状態を示す断面図である。
【００３９】
第２の実施例は以上のように構成され、筒部２Ａの開口縁に対応する外周縁１２（上辺）、筒部２Ａの下端縁に対応する内周縁１３（下辺）および２つの側辺１４、１５で画される外側筒部領域２１と、外周縁１２を６辺に分割した分割辺１８のそれぞれに連なって延びる内側筒部領域２２と、各内側筒部領域２２の頂辺２４のそれぞれに連なって延びる底壁片２５とを有する耐水性合成シートのカットシートからなり、外側筒部領域２１の２つの側辺１４、１５を接合して筒部２Ａを形成するとともに、内側筒部領域２２を筒部２Ａ内に折り返し、底壁片２５をそれぞれ頂辺２４で折り返して、互いに係止した底壁片２５が底壁部３Ａを形成するものとしたので、肉厚が薄く、軽量な植木鉢１が得られる。
そして、底壁部３Ａは複数の底壁片２５を折り返して形成されているので、各底壁片２５間の隙間から確実に水はけされる。
【００４０】
とくに、外側筒部領域２１の分割辺１８から内側筒部領域２２の頂辺２４までの高さが外側筒部領域２１の下辺１２から前記分割辺１８までの高さよりも所定量小さく設定されていることから、底壁部３Ａの全面が筒部２Ａの下端縁よりも高い上げ底形状になるので、土に草花などを植えた状態で植木鉢１を水を張った受け皿に載せた場合にも、水の深さを上記所定量より浅くすれば、底壁部３Ａが水中に没することはなく、根腐れの防止効果がとくに大きい。
【００４１】
その他、以下のとおり、第１の実施例と同じ効果を有する。
すなわち、１枚のカットシート１０Ａから糊付けなどにより側辺１４、１５を接合し、その後内側筒部領域２２および底壁片２５を折り返すだけであるから、組み上げ工程がきわめて簡単で、材料も含めて低コストで作製できる。
また、素材が耐水性合成シートであるから、任意にカレンダーや絵柄、あるいは写真、宣伝表示等を筒部の外面や内面にプリントして、室内装飾としたり、宣伝配布用のノベルティにも好適である。
【００４２】
さらに、内側筒部領域２２および底壁片２５の折り返しを開放すれば筒部２Ａを畳むことができるので、陶器製など従来の植木鉢に比較して不使用時の保管にスペースを要しないという特段の利点を有する。
すなわち、本実施例の植木鉢１Ａも、使用時と不使用時とで形状を変化させることができることから、販売や配布を行うときには底壁片２５を折り曲げず筒部２Ａを畳んだ形態で提供することができ、配送や展示に便宜である。
【００４３】
底壁片２５は、２等辺三角形とし、底辺から頂点Ｑまでの高さが筒部２Ａの下端部（折り返された内側筒部領域２２の頂辺位置）に形成される六角形の中心までよりも長くしてあるので、競り合って上げ底形状に先端部が高くなった状態において、互いの係止部位がほぼ均等に分布して、六角形の筒部２Ａの下端部形状をとくに安定的に維持することができる。
【００４４】
また、筒部領域２１の内周縁１３も外周縁１２に対応して６辺に分割され、外周縁１２および内周縁１３の対応する分割点Ｐｏ、Ｐｉを結ぶ線をそれぞれ折り曲げ線２０としているので、筒部２Ａが全高にわたって六角形をなし、簡潔な外観を呈する。
【００４５】
とくに筒部２Ａの横断面が正六角形をなすように折り曲げ線２０が設定してあり、筒部２Ａを形成する筒部領域２１は、底壁片２５の折り返しを開放した状態から、例えば折り曲げ線２０ｃ、２０ｆの２本で折り曲げたとき当該折り曲げ線間が互いに平坦に重なるようになっている。
すなわち、植木鉢１Ａの不使用時には、糊代片１６部分を除いて実質耐水性合成シートＷの２枚分の厚さに折り畳まれるので、保管時の格納スペースがとくに小さくなる。
【００４６】
さらに、内側筒部領域２２の側辺２３と外側筒部領域２１の外周縁１２との交差部には円形カット２８が施されているので、分割点、すなわち隣接する内側筒部領域２２の側辺２３と側辺２３が交差する部位に、エッジが生じて当該分割点でカットシート１０Ａが裂けてしまうという問題が発生しない。
【００４７】
なお、本実施例では、筒部領域２１の外周縁１２を６辺に分割して筒部２Ａの上端形状を六角形とした例を示したが、３分割以上であれば任意の複数に分割することができる。
また、外周縁１２に対応して筒部領域２１の内周縁１３も分割して、対応する分割点を結ぶ線をそれぞれ折り曲げ線２０として筒部２Ａが全高にわたって多角形（六角形）断面を有するものとしたが、これに限らず、筒部上端を多角形とする一方、下端は円形として、筒部の高さ方向にそって徐々に断面形状が変化するようにしてもよい。
【００４８】
さらに、第１および第２の実施例では、筒部２、２Ａは上端の開口側を大径、下端を小径としたが、径の大小は任意であり、上下同径、あるいは上端の開口側を小径、下端を大径とするものであってもよい。
【００４９】
さらには、底壁片２５は２等辺三角形とし、底辺中央と頂点Ｑを結ぶ線が底辺に対して垂直方向に延びる形態としたが、底壁片が互いに係止して筒部の形状を維持可能である限りにおいて、例えば分割数に応じて適宜傾斜する形態、すなわち、三角形の２つの側辺の長さが互いに異なるものとしてもよいし、あるいは三角形と異なる長四角、台形など任意の形状を選択することができる。
【００５０】
各実施例では、筒部領域１１、２１の糊代片１６と対向する側辺１４側の糊代領域２１とを接着した植木鉢としたが、当該植木鉢を形成するためのカットシート１０、１０Ａとさらにはタグ３０とが容易に抜き出せるように切込みを入れた耐水性合成シートＷを植木鉢製作シートとして提供することもでき、これにより工作の楽しみを与えることができる。
【符号の説明】
【００５１】
１、１Ａ    植木鉢
２、２Ａ    筒部
３、３Ａ    底壁部
１０、１０Ａ    カットシート
１１    筒部領域
１２    外周縁
１３    内周縁
１４、１５    側辺
１６    糊代片
１７ａ、１７ｂ、１７ｃ、１７ｄ、１７ｅ、１７ｆ    区画
１８ａ、１８ｂ、１８ｃ、１８ｄ、１８ｅ、１８ｆ    分割辺
１９、１９ａ、１９ｂ、１９ｃ、１９ｄ、１９ｅ、１９ｆ    分割辺
２０、２０ａ、２０ｂ、２０ｃ、２０ｄ、２０ｅ、２０ｆ    折り曲げ線
２１    外側筒部領域
２２、２２ａ、２２ｂ、２２ｃ、２２ｄ、２２ｅ、２２ｆ    内側筒部領域
２３    側辺
２４    頂辺
２５、２５ａ、２５ｂ、２５ｃ、２５ｄ、２５ｅ、２５ｆ    底壁片
２６    側辺
２７    折り曲げ溝
２８    円形カット
３０    タグ
３１    脚部
３２    プレート部
ＦＬ    草花
Ｓ    土
Ｗ    耐水性合成シート
【図１】
0003159013.tif 000003
【図２】
0003159013.tif 000004
【図３】
0003159013.tif 000005
【図４】
0003159013.tif 000006
【図５】
0003159013.tif 000007
【図６】
0003159013.tif 000008
【図７】
0003159013.tif 000009
【図８】
0003159013.tif 000010
【図９】
0003159013.tif 000011
【手続補正書】
【提出日】平成22年2月24日(2010.2.24)
【手続補正１】
【補正対象書類名】実用新案登録請求の範囲
【補正対象項目名】請求項１１
【補正方法】変更
【補正の内容】
【請求項１１】
耐水性合成シートに、
長手方向両端を接合して筒部を形成するための筒部領域と、底壁部を形成するため該筒部領域における前記筒部の下端部に対応する部位に３以上の複数片として筒部の周方向に隣接して並ぶ底壁片とが連続したカットシートを、抜き出し可能に切込みを入れてあることを特徴とする植木鉢製作シート。